(57)【要約】【課題】  記録媒体が使用できなく状態を回避させることが可能なデジタルカメラ及び携帯機器の記録媒体を提供する。【解決手段】記録媒体のデータ入出力端子部と燃料電池の水排出口部とが異なる面に構成する。【選択図】  図２
2005174775.tif 000002
【特許請求の範囲】
【請求項１】
燃料電池のユニットが内蔵されてデジタルカメラ等の携帯機器に使用される記録媒体において、前記記録媒体はデータ入出力端子部と前記燃料電池の水排出口部とが異なる面に構成されていることを特徴とする記録媒体。
【請求項２】
燃料電池のユニットが内蔵されてデジタルカメラ等の携帯機器に使用される記録媒体において、前記記録媒体はデータ入出力端子部と燃料電池の水排出口部と電源端子部とがおのおの異なる面に構成されていることを特徴とする携帯機器の記録媒体。
【請求項３】
請求項２記載の記録媒体において、複数の電源端子部も異なる面に構成されていることを特徴とする記録媒体。
【請求項４】
デジタルカメラ等の携帯機器用の記録媒体において、前記記録媒体のユニット内の一部に燃料電池を構成する所定の装置部が内蔵されていることを特徴とする記録媒体。
【請求項５】
請求項４記載の記録媒体において、前記所定の装置は燃料タンクであることを特徴とする記録媒体。
【請求項６】
請求項４記載の記録媒体において、前記所定の装置は発電部であることを特徴とする記録媒体。
【請求項７】
請求項４記載の記録媒体において、前記所定の装置は水タンク部であることを特徴とする記録媒体。
【発明の詳細な説明】
【技術分野】
【０００１】
本発明は、燃料電池を電源として使用するデジタルカメラ等の携帯機器の記録媒体に関するものである。
【背景技術】
【０００２】
最近燃料電池を電源として使用する携帯機器については種々のものが考案されている。
【０００３】
特に、携帯用の燃料電池に関しては、メタノールなどの有機燃料をアノードに直接供給しながら発電する燃料電池が考案されている。これはメタノールなどの有機燃料を水素リッチな改質ガスに改質するための改質器を必要としないため、構成が簡単であり携帯機器用の電源として期待されている。このタイプの燃料電池の詳細は特許文献１に記載されている。このタイプの燃料電池（ＤＭＦＣ）を簡単に説明すると、通常、アノード側に有機燃料を供給しながらカソード側に空気を供給して運転しており、下記式のように反応が起こる。
【０００４】
ＣＨ３ＯＨ+Ｈ２Ｏ→ＣＯ２+６Ｈ＋+６ｅ−
そして、アノード側で発生するプロトン（Ｈ＋）は電解質である固体高分子膜を透過してカソード側に移動し、下記式のように空気中の酸素と反応する
Ｏ２+４Ｈ＋+４ｅ−  →  ２Ｈ２Ｏ
そして、発電と同時に炭酸ガスと水が生成されることになる。
【０００５】
燃料電池は燃料と酸化剤を供給するだけで発電することができるという利点を有するだけでなく、燃料を交換すれば連続して発電でき、かつ２次電池の充電が数時間にも及ぶことを考えると、ほぼ瞬時に新しい電池によみがえるということになる。消費電力が小さい携帯機器の作動にきわめて有利なシステムといえる。
【０００６】
特許文献２には燃料電池を電源とした大容量データ記録装置について記載されている。携帯パソコンの電源として燃料電池を用いた例は、特許文献３に記載されている。
【特許文献１】特開２００２−０５６８５７号公報
【特許文献２】特開２００２−０８２７７７号公報
【特許文献３】特開平０９−２１３３５９号公報
【発明の開示】
【発明が解決しようとする課題】
【０００７】
しかし上記従来例には以下のような欠点があった。
【０００８】
特許文献２は大容量のデータ記録媒体装置であり、これ自身の構成はキーボードを持たない記憶専用のパソコンユニットであり、近年デジタルカメラ等に使用されているコンパクトフラッシュ(登録商標)等の超小型メモリーとは異なる。そしてこの発明には、記録部と燃料電池部との関係についてはまったく独立したユニット同士であるために、装置自体が小型化とは程遠いものになっている。この装置をカメラや携帯機器に内蔵することは不可能であり、両方を携帯して、カメラで撮影した画像データをカメラの記録媒体からこの装置に移し変える装置である。
【０００９】
また、燃料電池は本質的に水を発生する。この水は、気化させたり、外に排出させたりするが、持ち歩くタイプの前記大容量データ記録装置やカメラ等の携帯機器では、この水が機器の内部に入りこんで機器が故障してしまう危険性がある。が、この発明にはそれについては何も記載されていない
特許文献３はパソコンの電源に燃料電池ユニットを応用したもので、記録媒体との関係については何も記載されていない。ただし携帯機器としてのパソコンへの燃料電池の応用として、水については、パソコン内に進入しないように燃料電池ユニット内に水保水部と水タンクとを有している。しかし、いざ、燃料を補給したり、水を外に捨てようとしたりしようとすると、燃料電池ユニットを本体からはずし、分解して、燃料を補給したり、水タンクから水を捨て、保水部を乾燥させて利する必要があり非常に面倒であった。また記録媒体は満杯になったり、プリントアウトしようとしたりするたびに取り出してみるが、電池はカメラや携帯機器の残量警告が警告をしてはじめて気づくことになり、しばしばこの警告を見忘れることで、旅先で電池がなくなることは誰しも経験するものであった。
【００１０】
また、特許文献２、特許文献３は燃料電池ユニットの中に発電ユニット、燃料タンク、水タンクを備えているような構造であるために、非常に長時間電源を入れておかなければならない状況下での使用等には対応できない。またそれとは逆に、ほんの少しだけ作動すれば良いような状況でも、大きさがコンパクトで、軽く構成することも不可能である。
【００１１】
本発明は、上記課題に鑑みて成されたものであり、記録媒体と燃料電池の水排出口とを異なる面にレイアウトすることで、記録媒体が使用できなく状態を回避させることが可能なデジタルカメラ及び携帯機器の記録媒体を提供することを目的とする。
【課題を解決するための手段】
【００１２】
上記課題を解決するため、本発明では以下のように構成している。
【００１３】
請求項１記載の記録媒体は、記録媒体のデータ記録、読み出し用のデータ端子と燃料電池の水排出口とを異なる面にレイアウトすることで、水排出口から出た水分がデータ入出力端子に入り込んで、記録媒体が使用できなくなる事故から防ぐものである
請求項２記載の記録媒体は、データ端子と燃料電池の排水口と電源端子を全て異なる面に構成することで、水の影響を受けないこと構成としている。
【００１４】
また、請求項３記載の記録媒体は、電源端子をひとつの面ではなく異なる面に構成し、水分によるリークを防ぐことを特徴とする。
【００１５】
また、請求項４記載の記録媒体は、カメラや携帯機器の記録媒体に燃料電池の一部の機能を入れたことを特徴とする。
【００１６】
また、請求項５記載の記録媒体は、請求項４記載の記録媒体の前記一部の機能を燃料タンクとしたものである。こうすることにより、記録媒体に画像を取り込み、プリントアウトするためにこの記録媒体を取り出したり、記録媒体が満杯になり、新しいものと交換したときなどに、この記録媒体の燃料（エネルギー）をチェックし、補充ができるので、残量警告を見忘れたり、残量警告は見て気が付いたものの、長い間そのままで、燃料がなくなっているのを忘れてしまったというような忘れによる事故が未然に防げる。
【００１７】
また、請求項６記載の記録媒体は、請求項４記載の記録媒体の前記一部の機能を発電部として構成したものである。このように構成することで、水や燃料を補給したり、取り出したりするユニットとは別であるために、長時間撮影の時には大きな燃料タンクと大きな水保水タンク、少ない撮影枚数で、荷物を極力軽くしたい時には、小さな燃料タンクと小さな水保水タンクというふうに、その状況においてカメラや携帯機器をいろいろカスタマイズできるというメリットがある。またカメラに取り付けるものは燃料タンクと水タンクであり、発電部は記録媒体についているために、発電部分のコストはかからずにコンパクトにしたり、長時間タイプにしたりする事が可能である。
【００１８】
また、請求項７記載の記録媒体は、請求項４記載の記録媒体の前記一部の機能を水タンク部としたものである。このようにすることで記録媒体が満杯になったときや、プリントアウトをするために、記録媒体を抜いた時々に水を捨てるために、水タンクがいっぱいになってカメラの動作が不意に停止してしまったり、水が漏ったりという不具合が減少する。
【発明の効果】
【００１９】
本発明によれば、請求項１記載の記録媒体は、デジタルカメラやその他の携帯機器の記録媒体に燃料電池を内蔵し、該燃料電池の水排出口と記録媒体のデータ入出力端子部を異なる面に構成することで、水排出口からの水がデータ端子部に入りデータを壊してしまうトラブルを避けられる効果がある
さらに、請求項２では、データ端子部と、水排出口と、電源端子部とを異なる面に構成することで、データ端子部ばかりでなく、電源端子部の水によるショートから防ぐような効果を出したものである。
【００２０】
また、請求項３では、電源端子部を別の面にすることでより安全性を高くする効果を出したものである。
【００２１】
また、請求項４記載の携帯機器は、記録媒体に燃料電池の一部の機能を内蔵したものである。一部を内蔵することで以下のような効果が得られるようになる。
【００２２】
また、請求項５では、記録媒体に燃料電池の一部の機能である燃料部のみを構成することで、記録媒体を小型化し、かつ燃料の入れ忘れを極力なくすようにした効果が得られる物である。
【００２３】
また、請求項６では、記録媒体に燃料電池の機能のひとつである発電部を構成し、記録媒体の大きさを小さくするばかりでなく、カメラや携帯機器を使うときの状況に応じて、電池の容量を増やしたり、減らしてカメラを小さくしたりする効果を得るようにしたものである。
【００２４】
また、発電部分をカメラに一個持つことで、燃料タンクと水タンクは大きいもの、小さいもの等いろいろ種類を作ってもコストが抑えられる効果がある。
【００２５】
また、請求項７では、記録媒体に水タンクのみを内蔵することで、記録媒体の交換や排出ごとに水を捨てることで、水によるトラブルをなくす効果を得るようにしたものである。
【発明の最良の実施形態】
【００２６】
以下に本発明の実施例について説明する。
【実施例１】
【００２７】
以下に、本発明の第１の実施例を図１、図２に基づき説明する。また  携帯機器用燃料電池の構成については、上述の特許文献１、３等に詳細が記載されているので、本実施例での記述は省略する。なお、本実施例では、携帯機器としてカメラを図示しているが、これに限定されるものではない。
【００２８】
１はカメラ本体、２はレンズ、３はファインダー、４はレリーズボタン、５は記録媒体挿入蓋、６は記録媒体挿入部、５０は記録媒体で５０ａ、５０ｂは溝であり、カメラ本体１の記録媒体挿入部６内にこの溝に沿った不図示の突出部があり、その突出部に沿って、この記録媒体５０をカメラ内に装填するように構成されている。
【００２９】
５１、５２は端子、５３は水排出部、５４はデータ端子部用の穴で本体１の不図示のデータピンがこの穴の中に入り、不図示のコネクト部とコネクトし、カメラで撮影した画像データをこの記録媒体の中に内蔵されている不図示のフラッシュメモリーに書き込むように構成されている。この記録媒体５０の構成は従来より広く世の中に出回っているものとまったく同じ構成であるために、ここでは内部構成や動作については省略する。
【００３０】
５５は燃料充填用のバルブであり、５６は燃料電池の発電に必要な空気取り入れ口である。このようにデータ端子部５４と水排出口５３とをまったく逆側の面に構成することで、微量ではあるが、発電時に排出される水がデータ端子部に入り込み、データ端子部がシュートして、変なデータが記録されてしまうことを防いでいる。
【００３１】
また、電源端子部５１、５２もデータ端子部５４と異なる面に構成して、記録媒体の大きさが大きくなることを防ぎ、かつ水排出口５３とも異なる面に構成し、水の影響で電源端子部５１、５２がショートすることを防いでいる。排出された水は記録媒体挿入蓋５と本体の隙間からにじみ出たり、周りに広がる前に気化してしまう。すぐそばにデータ端子部５４等があると、そこに水がたまる可能性あるため、このような構成により、データ保全等を向上させている。
【実施例２】
【００３２】
続いて、本発明に係る第２の実施例を図３に基づいて説明する。
【００３３】
図３は、記録媒体の構成を示しており、１５０は記録媒体、１５０ａ、１５０ｂは本体に入れるときのガイドとなる溝部。１５１、１５２は電源端子部、１５３は水排出口、１５４はデータ端子部、１５５は燃料補給部バルブ、１５６は燃料電池が発電するときに必要な空気を取り入れる空気口である。この実施例では電源端子部のショートの危険性をより少なくするために、プラスとマイナスの端子部を極力距離を離すだけでなく、異なる面に構成し、より安全性を高めたものである。
【実施例３】
【００３４】
本発明に係る第３の実施例を図４に基づいて説明する
図４は、第３の実施例である記録媒体の構成を示しており、２５０は記録媒体、２５０ａ、２５０ｂは本体に入れるときのガイドとなる溝部。２５１、２５２は電源端子部、２５４はデータ端子部、３０１ユニットは燃料電池の燃料部ユニットで排出部３０２からカメラ本体内の燃料電池発電部に燃料を供給する。水排出部はカメラ本体部にある。この構成では記録ユニット２５０に構成されているのは燃料部のみである。
【実施例４】
【００３５】
本発明に係る第４の実施例を図５、図６に基づいて説明する
図５は、第４の実施例である記録媒体の構成を示しており、３５０は記録媒体、３５０ａ、３５０ｂは本体に入れるときのガイドとなる溝部。３５１、３５２は電源端子部、３５４はデータ端子部、ユニット４００は燃料電池の発電ユニットで燃料はカメラ本体からバルブ４０１を介して受け取り、発電を行い生成した水はバルブ４０２を介してカメラ本体内の水タンク部に戻すように構成されている。この構成では記録ユニット４００に構成されているのは発電部のみである。
【００３６】
図７は、図５の記録媒体を挿入可能なカートリッジのためのカメラで、３６１はカメラ本体、３６２はレンズ、３６３はファインダー、３６４はレリーズボタン、３６５は記録媒体用装填部、３６６は装填部蓋、３７０は燃料電池用燃料と生成された水が溜められる水タンクである。この燃料と水タンク部は大きくすることで長時間に対応可能であり、小さくすることで、カメラ全体は非常にコンパクトになる。  
【００３７】
また、この部分を全て燃料電池にしてしまうと、発電部という基本的なところをユニットが持つことにより、大きいユニット、小さいユニット、全てに重複したコストがかかることになる。
【実施例５】
【００３８】
本発明に係る第５の実施例を図７に基づいて説明する
図７は、第５の実施例である記録媒体の構成を示しており、４５０は記録媒体、４５０ａ、４５０ｂは本体に入れるときのガイドとなる溝部である。４５１、４５２は電源端子部、４５４はデータ端子部、ユニット５００は燃料電池の水タンクユニットで燃料部と発電部はカメラ本体内に構成されている。発電部で生じた水はバルブ５０１を会してこの水タンクにたまるように構成されている。またこの水タンクには水気化装置が内蔵されており、このタンクが満杯にならないように構成されている。
【図面の簡単な説明】
【００３９】
【図１】本発明に係る第１の実施例であるカメラを示す斜視図である。
【図２】本発明に係る第１の実施例である記録媒体を示す斜視図である。
【図３】本発明に係る第２の実施例である記録媒体を示す斜視図である。
【図４】本発明に係る第３の実施例である記録媒体を示す斜視図である。
【図５】本発明に係る第４の実施例である記録媒体を示す斜視図である。
【図６】本発明に係る第４の実施例であるカメラを示す斜視図である。
【図７】本発明に係る第５の実施例である記録媒体を示す斜視図である。
【符号の説明】
【００４０】
１              カメラ本体
２              レンズ
３              ファインダー
４              レリーズボタン
５              録媒体装填部蓋
６              記録媒体装填部
５０            記録媒体
５１，５２      電源端子部
５３            水排出口
５４            データ端子部
５５            燃料装填バルブ
５６            空気口
３０１          燃料タンク部
３０２          バルブ
４００          発電部
４０１，４０２  バルブ
４０３          空気口
５００          水タンク
５０１          バルブ
【図１】
2005174775.tif 000003
【図２】
2005174775.tif 000004
【図３】
2005174775.tif 000005
【図４】
2005174775.tif 000006
【図５】
2005174775.tif 000007
【図６】
2005174775.tif 000008
【図７】
2005174775.tif 000009